(57)【要約】【課題】ＧＳＭシステムで使用される携帯端末機のＴＤＭＡノイズを除去することのできる携帯端末機のノイズ除去方法を提供する。【解決手段】無線システムとの間でデータ及び信号を送受信する携帯端末機であって、  携帯端末機のバッテリ電源ライン上にタイムバーストが発生すると、現在のタイムスロットがアイドルスロットであるかどうかを確認する段階と、前記アイドルスロットであるかどうかを確認する段階での結果、アイドルスロットであると確認されると、適切な騒音（ｎｏｉｓｅ）レベルを印加してオフセット電圧を発生する段階と、全体的なバッテリ電圧降下を減少させる段階とを有する。【選択図】図１
2005027323.tif 000002
【特許請求の範囲】
【請求項１】
無線システムとの間でデータ及び信号を送受信する携帯端末機であって、
携帯端末機のバッテリ電源ライン上にタイムバーストが発生すると、現在のタイムスロットがアイドルスロットであるかどうかを確認する段階と、
前記アイドルスロットであるかどうかを確認する段階での結果、アイドルスロットであると確認されると、適切な騒音（ｎｏｉｓｅ）レベルを印加してオフセット電圧を発生する段階と、
全体的なバッテリ電圧降下を減少させる段階とを有することを特徴とする携帯端末機のノイズ除去方法。
【請求項２】
前記アイドルスロットは、該当する期間の間データが未送信であることで確認することを特徴とする請求項１記載の携帯端末機のノイズ除去方法。
【請求項３】
前記無線システムは、ＧＳＭ（Ｇｌｏｂａｌ  Ｓｙｓｔｅｍ  ｆｏｒ  Ｍｏｂｉｌｅ）システムを含むことを特徴とする請求項１記載の携帯端末機のノイズ除去方法。
【請求項４】
前記騒音レベルは、基底帯域でアイドルスロットであるとき、任意のチャネルを印加することによって供給されることを特徴とする請求項１記載の携帯端末機のノイズ除去方法。
【請求項５】
前記任意のチャネルは、基底帯域信号部でアイドルスロットに任意のＩ、及びＱ信号を√（Ｉ２＋Ｑ２）値が７０ｍＶ〜１００ｍＶになるように発生させて適用させることを特徴とする請求項４記載の携帯端末機のノイズ除去方法。
【請求項６】
前記騒音レベルは、送受信機（ｔｒａｎｓｃｅｉｖｅｒ）でアイドルスロット状態にて熱ノイズを発生させることで供給されることを特徴とする請求項１記載の携帯端末機のノイズ除去方法。
【請求項７】
前記熱ノイズは、送受信機回路中一部の回路にオフセット電圧だけ電力消費をするように電力を供給して、アイドルスロットであるとき、７０ｍＶ〜１００ｍＶのオフセット電圧を発生させることで発生させることを特徴とする請求項６記載の携帯端末機のノイズ除去方法。
【請求項８】
前記適切な騒音レベルは、７０ｍＶ〜１００ｍＶであることを特徴とする請求項１記載の携帯端末機のノイズ除去方法。
【請求項９】
前記オフセット電圧は、可聴周波数内の電力リップル中、６次高調波成分程度までのレベルであることを特徴とする請求項１記載の携帯端末機のノイズ除去方法。
【請求項１０】
無線システムとデータの送受信を行う携帯端末機であって、データ送信中タイムバーストが発生した場合、アイドルスロットに騒音レベルを供給することを特徴とする携帯端末機のノイズ除去方法。
【請求項１１】
前記騒音レベルは、基底帯域でアイドルスロットであるとき、任意のチャネルを印加することによって供給されることを特徴とする請求項１０記載の携帯端末機のノイズ除去方法。
【請求項１２】
前記任意のチャネルは、基底帯域信号部でアイドルスロットに任意のＩ、及びＱ信号を√（Ｉ２＋Ｑ２）値が７０ｍＶ〜１００ｍＶになるように発生させて適用させることを特徴とする請求項１１記載の携帯端末機のノイズ除去方法。
【請求項１３】
前記騒音レベルは、送受信機でアイドルスロット状態にて熱ノイズを発生させることで供給されることを特徴とする請求項１０記載の携帯端末機のノイズ除去方法。
【請求項１４】
前記熱ノイズは、送受信機回路中一部の回路にオフセット電圧だけの電力消費をするように電力を供給し、アイドルスロットであるとき、７０ｍＶ〜１００ｍＶのオフセット電圧を発生させることで発生させることを特徴とする請求項１３記載の携帯端末機のノイズ除去方法。
【請求項１５】
前記オフセット電圧は、可聴周波数内の電源リップル中、６次高調波成分程度までのレベルであることを特徴とする請求項１０記載の携帯端末機のノイズ除去方法。
【請求項１６】
前記無線システムは、ＧＳＭシステムであることを特徴とする請求項１０記載の携帯端末機のノイズ除去方法。
【発明の詳細な説明】
【技術分野】
【０００１】
本発明は、携帯端末機に係るもので、詳しくは、ＴＤＭＡに基づいた無線システムであるＧＳＭシステムで使用される携帯端末機のＴＤＭＡノイズを除去することができる携帯端末機のノイズ除去方法に関するものである。
【背景技術】
【０００２】
一般に、無線システムは、符号分割多重接続（Ｃｏｄｅ  ｄｉｖｉｓｉｏｎ  Ｍｕｌｔｉｐｌｅ  Ａｃｃｅｓｓ：ＣＤＭＡ）方式に基づいた同期式と、時分割多重接続（Ｔｉｍｅ  Ｄｉｖｉｓｉｏｎ  Ｍｕｌｔｉｐｌｅ  Ａｃｃｅｓｓ：ＴＤＭＡ）方式に基づいた非同期式とに大別される。
【０００３】
ヨーロッパを中心として、ＴＤＭＡに基づいた非同期式で最も広用されている方式は、周波数分割多重接続（Ｆｒｅｑｕｅｎｃｙ  Ｄｉｖｉｓｉｏｎ  Ｍｕｌｔｉｐｌｅ  Ａｃｃｅｓｓ：ＦＤＭＡ）方式とＴＤＭＡ方式とを混合したＧＳＭ（Ｇｌｏｂａｌ  Ｓｙｓｔｅｍ  ｆｏｒ  Ｍｏｂｉｌｅ）通信方式である。
このとき、ＧＳＭ方式のシステムで使用される携帯端末機では、バッテリ電源ライン上のタイムバーストリップルによってオーディオ出力端にノイズが発生するが、これをＴＤＭＡノイズと呼んでいる（例えば、特許文献１参照）。
【０００４】
図４は、ＴＤＭＡノイズを減らすための従来のＧＳＭ方式携帯端末機の電源部を示したブロック図であり、図に示すように、従来の携帯端末機の電源部は、オーディオ電源端を別途に分離して形成し、オーディオ専用ＬＤＯ（ｌｏｗ  ｄｒｏｐ  ｏｕｔｐｕｔ  ｒｅｇｕｌａｔｏｒ）などを使用することで、オーディオ増幅器が電源端リップルによる可聴周波数範囲内のノイズの影響を最小化するように設計されている。
【０００５】
【特許文献１】特開平０９−１３０２８２号公報
【発明の開示】
【発明が解決しようとする課題】
【０００６】
しかしながら、従来は、ＴＤＭＡノイズを最小化するだけで、ＴＤＭＡノイズの発生を根本的に防止できないという問題点があった。
又、別途のオーディオ電源端及びオーディオ用電源レギュレータなどの付加的回路が使用されるため、携帯端末機の漸次小型化が望まれる現在の要求に対し小型化しずらいという問題点があった。
【０００７】
そこで、本発明は上記従来の携帯端末機のノイズ除去方法における問題点に鑑みてなされたものであって、本発明の目的は、ＧＳＭシステムで使用される携帯端末機のＴＤＭＡノイズを除去することのできる携帯端末機のノイズ除去方法を提供することにある。
【課題を解決するための手段】
【０００８】
上記目的を達成するためになされた本発明による携帯端末機のノイズ除去方法は、無線システムとの間でデータ及び信号を送受信する携帯端末機であって、携帯端末機のバッテリ電源ライン上にタイムバーストが発生すると、現在のタイムスロットがアイドルスロットであるかどうかを確認する段階と、前記アイドルスロットであるかどうかを確認する段階での結果、アイドルスロットであると確認されると、適切な騒音（ｎｏｉｓｅ）レベルを印加してオフセット電圧を発生する段階と、全体的なバッテリ電圧降下を減少させる段階とを有することを特徴とする。
【０００９】
前記騒音レベルは、基底帯域でアイドルスロットであるとき、任意のチャネルを印加することによって供給されることを特徴とする。
前記騒音レベルは、送受信機（ｔｒａｎｓｃｅｉｖｅｒ）でアイドルスロット状態にて熱ノイズを発生させることで供給されることを特徴とする。
【００１０】
又、上記目的を達成するためになされた本発明による携帯端末機のノイズ除去方法は、無線システムとデータの送受信を行う携帯端末機であって、データ送信中タイムバーストが発生した場合、アイドルスロットに騒音レベルを供給することを特徴とする。
【発明の効果】
【００１１】
本発明に係る携帯端末機のノイズ除去方法によれば、電力増幅器によるバッテリ電圧降下を減少させて全体的なバッテリ電源のリップルを減少させることで、他の全ての回路の電源を安定的に供給することができるという効果がある。
【００１２】
又、従来のように別途のオーディオ電源端を使用せず、ＴＤＭＡノイズ発生源自体を減少させることで、一層小型化された端末機を生産することができるという効果がある。
【発明を実施するための最良の形態】
【００１３】
次に、本発明に係る携帯端末機のノイズ除去方法を実施するための最良の形態の具体例を図面を参照しながら説明する。
【００１４】
図５は、一般的なＴＤＭＡタイムフレームを示したブロック図であり、図６は、従来のタイムバーストによる増幅電流と電圧降下との関係を示したグラフである。
図５、６を参照すると、ＴＤＭＡで最も基本になる単位のタイムスロット（又はバーストピリオドとも称す）は、１５／２６ｍｓ、約５７７μｓの長さを有する。一つのＴＤＭＡフレームには、全て８個のタイムスロット（＃０〜＃７）があり、一つのチャネル当り８名の使用者が同時に通話することができる。一つのＴＤＭＡフレームは、５７７μｓ×８、約４．６１５ｍｓの長さを有する。
【００１５】
ＧＳＭは、ＴＤＭＡの一つのフレームにおける割り当てられた一つのタイムスロットのみで送信をし、残りの７個のタイムスロットの間にはアイドル状態に置かれる。携帯端末機が伝送しようとする情報を高周波に載せて高出力で送る場合、端末内の電力増幅器（ｐｏｗｅｒ  ａｍｐｌｉｆｉｅｒ：ＰＡ）は、バッテリから一つのタイムスロット期間である５７７μｓの間、パルス電流を最大２．５Ａに引き上げて使用するが、これは、送信が持続する限り、一つのＴＤＭＡフレーム期間である４．６１５ｍｓの時間毎に反復される。又、電源電圧レベルもＧＳＭバーストにより影響を受けるが、リチウムイオン（Ｌｉ−Ｉｏｎ）バッテリは、最悪の場合１２０ｍΩの直列抵抗値を有するため、５７７μｓのバースト期間の間３００ｍＶ程度の電圧降下が発生する。
【００１６】
図７は、ＧＳＭバーストによる電圧降下で発生する電源リップルの周波数スペクトルの分布を示したグラフであり、図に示すように、周波数分布において、最初のスペクトルであるＣ１の周波数は２１７Ｈｚで、これは一つのＴＤＭＡフレームの時間周期である４．６１５ｍｓが周波数値に変換されたものである。
【００１７】
Ｃ１の大きさは、図６の電圧降下程度に比例し、Ｃ２、Ｃ３、・・・、ＣＮはＣ１の高調波成分で、全ての人間が聞くことのできる可聴範囲の周波数スペクトルである。よって、このような可聴周波数内の電源リップル中、６次高調波成分程度までレベルを減少させることにより、ＴＤＭＡノイズが発生する原因を除去することができる。
【実施例】
【００１８】
図１は、本発明に係る携帯端末機のノイズ除去方法によるオフセット電圧発生を示したグラフである。図２は、図１のオフセット電圧によるバッテリ電圧降下に係る電源リップルの減少を示したグラフである。
図１、２を参照すると、アイドルスロットに任意の騒音レベルを適用／印加することで、電力増幅器によるバッテリ電圧降下を減少させることができる。即ち、アイドルスロットにノイズを供給してオフセット電圧（Ｖｏｆｆｓｅｔ）を発生させることで、全体的な電圧降下差であるΔ値が減少するが、これはＴＤＭＡノイズ成分の減少を意味する。又、アイドルスロットのノイズ信号は、電力増幅器による活性スロットとアイドルスロット間の電圧降下を減らす役割をするだけで、実際にはアンテナを通して送信されない。それは、アイドルスロット期間の間は、電力増幅器の後端のアンテナスイッチで送信をしないためである。
【００１９】
このとき、印加される騒音レベルの適正値は、タイムバーストの間の電圧降下値によって変化するか、又は、オーディオ増幅器の電源電圧変動除去比（Ｐｏｗｅｒ  Ｓｕｐｐｌｙ  Ｒｅｊｅｃｔｉｏｎ  Ｒａｔｉｏ：ＰＳＲＲ）特性値によって変化する。ＰＳＲＲは、可聴周波数内のスペクトル成分を除去する性能を示す値で、従来のほとんどの部品は、２００Ｈｚ〜１．５ｋＨｚの周波数帯で約−７０ｄＢ程度の値を有している。然し、ＴＤＭＡノイズを除去するためには、約−８０ｄＢ程度のＰＳＳＲ特性値を得るべきであるため、計算上、約−１０ｄＢ程度のリップルレベルの追加的減少が必要である。
【００２０】
もし最大３００ｍＶの電圧降下が発生した場合、騒音レベルを印加する前のＣ１の値は約７５ｍＶ（３７．５ｄＢｍ）程度となり、ＴＤＭＡノイズを除去するためにＣ１は約１０ｄＢ少ない２５ｍＶ（２８ｄＢｍ）程度にすべきである。よって、アイドルスロットの基本ノイズ大きさは、約５０ｍＶ（７５ｍＶ〜２５ｍＶ）程度を発生させると良い。然し、他の高調波成分を一緒に考慮すると、これより若干大きい約７０ｍＶ〜１００ｍＶ程度のＶｏｆｆｓｅｔ値を発生させるべきである。よって、アイドルスロットで発生されるべき騒音レベルは、約７０ｍＶ〜１００ｍＶと見なすことができるが、これは理論的な計算値に過ぎなく、上述したように電圧降下値によって若干の差があり得る。
【００２１】
図３は、本発明に係る携帯端末機のノイズ除去方法を示したフローチャートである。
図に示すように、バッテリ電源ライン上にタイムバーストが発生すると（ステップＳ１０）、現在のタイムスロットがアイドルスロットであるかどうかを確認する（ステップＳ２０）。次いで、アイドルスロットであることを確認して騒音レベルを印加すると（ステップＳ３０）、オフセット電圧が発生することで（ステップＳ４０）、全体的なバッテリ電圧降下が減少する（ステップＳ５０）。上述したように、バッテリ電圧降下の減少は、ＴＤＭＡノイズ成分が減少することを意味する。
【００２２】
以上、図面に示した実施形態に基づいて説明したが、これは例示的なものに過ぎなく、本技術分野の通常の知識を有する者ならば、本発明の技術的範囲から逸脱しない範囲内で多様に変更実施することが可能である。
【００２３】
例えば、アイドルスロットにノイズを供給する方法は多様であり、基底帯域でアイドルスロットであるとき、任意のチャネルを印加することで騒音レベルを供給することもできるし、送受信機でアイドルスロット状態に熱ノイズを発生させて、電力増幅器に適切な騒音レベルを供給することもできる。
【００２４】
“任意のチャネルの印加”は、基底帯域信号部でアイドルスロットに任意のＩ、及びＱ信号を√（Ｉ２＋Ｑ２）値が約７０ｍＶ〜１００ｍＶになるように発生させることを意味する。又、熱ノイズの発生は、端末機の電源中一部をオンにしてＶｏｆｆｓｅｔ値を発生させるか、送受信器回路中一部の回路にＶｏｆｆｓｅｔだけの電力消費をするように電力を供給し、アイドルスロットであるとき、７０ｍｖ〜１００ｍＶのＶｏｆｆｓｅｔを発生させることを意味する。
【００２５】
このように、アイドルスロットを適正な水準に上げるためのノイズ供給方法は、多様であるため、本発明は、ＴＤＭＡノイズを除去するために、ＧＳＭバースト中アイドル状態に所定のノイズレベルを供給し、電力増幅器によるバッテリ電圧降下を減少させることでＴＤＭＡノイズを除去する方法の全てを包含するものである。
【図面の簡単な説明】
【００２６】
【図１】本発明に係る携帯端末機のノイズ除去方法によるオフセット電圧発生を示したグラフである。
【図２】図１のオフセット電圧によるバッテリ電圧降下に係る電源リップルの減少を示したグラフである。
【図３】本発明に係る携帯端末機のノイズ除去方法を示したフローチャートである。
【図４】ＴＤＭＡノイズを減らすための従来のＧＳＭ方式携帯端末機の電源部を示したブロック図である。
【図５】一般的なＴＤＭＡタイムフレームを示したブロック図である。
【図６】従来のタイムバーストによる増幅電流と電圧降下との関係を示したグラフである。
【図７】従来のＧＳＭバーストによる電圧降下で発生する電源リップルの周波数スペクトルの分布を示したグラフである。
【図１】
2005027323.tif 000003
【図２】
2005027323.tif 000004
【図３】
2005027323.tif 000005
【図４】
2005027323.tif 000006
【図５】
2005027323.tif 000007
【図６】
2005027323.tif 000008
【図７】
2005027323.tif 000009